(57)【要約】【課題】大きさが種類別に異なる紙葉類を収納している各収納庫の収納枚数を、計数専用の収納庫を要せずに計数することができる紙葉類管理装置及び紙葉類管理方法を提供することを課題とする。【解決手段】紙幣を出し入れする独立した出入機構４７，４８をそれぞれ備えた上段収納部４５と下段収納部４６との２つの収納空間を有する収納庫４ａ〜４ｄを備え、前記収納庫４ａ〜４ｄの上段収納部４５か下段収納部４６かの何れか一方に収納されている紙幣を一時保留部３に一時保留させた後、一時保留した紙幣を他方の収納部へ移送させる際に、移送された処理枚数を計数する主制御部１１１を備えて構成する。【選択図】図１
2011243082.tif 000002
【特許請求の範囲】
【請求項１】
紙葉類取扱口に連通する内部で紙葉類を識別する識別部と、前記識別部と接続して紙葉類を一時保留する一時保留部と、前記紙葉類を種類別に分けて収納する複数の収納庫と、少なくとも前記紙葉類取扱口と前記識別部と前記一時保留部と前記複数の収納庫との間を接続する搬送路とを備えた紙葉類管理装置であって、
前記収納庫は紙葉類を出し入れする独立した出入機構をそれぞれ備えた第１収納部と第２収納部とを備え、
前記第１収納部か第２収納部かの何れか一方に収納されている紙葉類を、前記識別部を経由させて前記一時保留部に一時保留させた後、一時保留した紙葉類を前記他方の収納部へ移送させる際に、移送された処理枚数を計数する制御手段を備えた
紙葉類管理装置。
【請求項２】
前記一時保留部に一時保留された紙葉類を前記第１収納部と前記第２収納部との何れか一方に振分ける振分けゲートを備えた
請求項１に記載の紙葉類管理装置。
【請求項３】
前記制御手段は、
前記一時保留部が満杯になると、該一時保留部の紙葉類を他方の収納部へ移し替え、再度一方の収納部から一時保留部への一時保留を行う繰り返し処理を実行する
請求項１または２に記載の紙葉類管理装置。
【請求項４】
収納庫に、紙葉類を出し入れする独立した出入機構をそれぞれ備えた第１収納部と第２収納部とを備え、
前記第１収納部か第２収納部かの何れか一方に収納されている紙葉類を、識別部を経由させて一時保留部に一時保留させた後、一時保留した紙葉類を前記他方の収納部へ移送させる際に、移送された処理枚数を制御手段により計数する
紙葉類管理方法。
【発明の詳細な説明】
【技術分野】
【０００１】
この発明は、例えば金融機関などで使用されるＡＴＭ（現金自動預払機）、両替機などの自動取引装置で扱われる紙幣等の紙葉類を管理する紙葉類管理装置及び紙葉類管理方法に関する。
【背景技術】
【０００２】
従来、自動取引装置では紙幣を搬送処理する際に２枚出しや連れ出しが発生すると、紙幣を金種別に収納管理している内部の収納庫の紙幣収納枚数が不明になり、現在収納されている収納庫の紙幣収納枚数を正確に把握できなくなる。このため、２枚出しや連れ出しが発生した際に収納庫に収納されている紙幣の収納枚数を正確に把握するには改めて計数動作を必要としていた。
【０００３】
この計数動作を行うものとして、例えば計数が必要となった収納庫に対し、その収納庫の紙幣の全てを計数専用の別の収納庫に一旦移し替え、この移し替え過程で紙幣の収納枚数を鑑別部で計数する自動取引装置が提案されている（例えば特許文献１参照）。
【０００４】
しかし、この方法では、大きさの異なる紙幣を扱う場合に問題があった。詳述すると、紙幣の幅や長さが金種別に大きく異なる場合、金種別に収納される紙幣の収納庫ごとの大きさが異なる。ことに、計数管理用の１個の専用の収納庫を設けて多金種を収納させるようにすると、大きさの異なる各金種を混在させるため取り扱うことが難しく、金種別に応じた複数の計数管理用の収納庫が必要になってしまう。このため、幅や長さが異なる多様なサイズの紙幣を計数する場合は、装置が大型化してしまう問題を有していた。
【０００５】
また、紙幣の幅や長さが異なる多様なサイズの紙幣を扱う装置として、装置内部に複数の紙幣収納庫を内蔵した紙幣収納庫群を設け、このうち１個を装填回収庫に用い、各紙幣収納庫との間で紙幣の授受を行うことで計数するようにした紙幣入出金機が提案されている（例えば特許文献２参照）。
【０００６】
しかしながら、多くの種類の紙幣を１個の装填回収庫に集積する構成では金種別にサイズが大きく異なる紙幣を混在させる場合に適用できず、この結果、収納庫別に収納されている全ての紙幣を自動的に計数することができなくなる。
【先行技術文献】
【特許文献】
【０００７】
【特許文献１】特開２００９−２９５１３２号公報
【特許文献２】特開２００３−２７２０２７号公報
【発明の概要】
【発明が解決しようとする課題】
【０００８】
そこでこの発明は、大きさが種類別に異なる紙葉類を収納している各収納庫の収納枚数を、計数専用の収納庫を要せずに計数することができる紙葉類管理装置及び紙葉類管理方法を提供することを課題とする。
【課題を解決するための手段】
【０００９】
この発明は、紙葉類取扱口に連通する内部で紙葉類を識別する識別部と、前記識別部と接続して紙葉類を一時保留する一時保留部と、前記紙葉類を種類別に分けて収納する複数の収納庫と、少なくとも前記紙葉類取扱口と前記識別部と前記一時保留部と前記複数の収納庫との間を接続する搬送路とを備えた紙葉類管理装置であって、前記収納庫は紙葉類を出し入れする独立した出入機構をそれぞれ備えた第１収納部と第２収納部とを備え、前記第１収納部か第２収納部かの何れか一方に収納されている紙葉類を、前記識別部を経由させて前記一時保留部に一時保留させた後、一時保留した紙葉類を前記他方の収納部へ移送させる際に、移送された処理枚数を計数する制御手段を備えたことを特徴とする。
【発明の効果】
【００１０】
この発明によれば、大きさが種類別に異なる紙葉類を収納している各収納庫の収納枚数を、計数専用の収納庫を要せずに計数することができる紙葉類管理装置を提供することができる。
【図面の簡単な説明】
【００１１】
【図１】紙幣管理装置の概略を示す内部構成図。
【図２】紙幣管理装置の制御ブロック図。
【図３】収納庫の計数処理条件とその動作を示すフローチャート。
【図４】一時保留部を経由させて上段収納部から下段収納部に紙幣を移動させる際の搬送ルートを示す説明図。
【図５】上段収納部の計数処理動作を示すフローチャート。
【図６】一時保留部を経由させて下段収納部から上段収納部に紙幣を移動させる際の搬送ルートを示す説明図。
【図７】下段収納部の計数処理動作を示すフローチャート。
【図８】巻取式の一時保留部を用いた紙幣管理装置の概略を示す内部構成図。
【発明を実施するための形態】
【００１２】
この発明の一実施例を以下図面に基づいて説明する。  
【実施例】
【００１３】
図１は紙葉類管理装置として紙葉類の一例に紙幣を扱う紙幣管理装置を例にとって示している。  
この紙幣管理装置において、１は顧客が紙幣の預け入れや払い出しを行う紙葉類取扱口としての入出金口、２は紙幣の金種、真偽などを判別する識別部、３は計数した紙幣を一時的に収納する一時保留部である。この一時保留部３には金種ごとに大きさが異なる多種多様な紙幣を収納するために、紙幣の長手方向や短手方向を揃える当て止め機構やセンタリング機構などを備えている。
【００１４】
４ａ〜４ｄは紙幣を種類別に収納する収納庫、５は識別部によってリジェクトされた紙幣を収納する回収庫、６は顧客が取り忘れた紙幣を収納するリジェクト庫、１０は収納先に紙幣を搬送する搬送路、１１は紙幣の通過を検知する通過センサ、１２は紙幣の搬送ルートを切り替えるゲートである。
【００１５】
３１は一時保留部の空を検知する一時保留部空検知センサ、３２は一時保留部の満杯を検知する一時保留部満杯検知センサである。
【００１６】
前記収納庫４ａ〜４ｄは、紙幣を収納する縦長の空間を上下に仕切り、第１収納部である上段収納部４５と第２収納部である下段収納部４６との２つの収納部４５，４６を有している。各収納部４５，４６には紙幣を１枚ずつ出し入れする独立した出入機構４７，４８を備えている。さらに、４０は上段収納部４５の出入機構４７に配設されて紙幣の搬送先を切り替える振分けゲート、４１は上段収納部４５の空を検知する上段収納部空検知センサ、４２は上段収納部４５の満杯を検知する上段収納部満杯検知センサ、４３は下段収納部４６の空を検知する下段収納部空検知センサ、４４は下段収納部４６の満杯を検知する下段収納部満杯検知センサである。
【００１７】
このような構造を内部構成する紙幣管理装置は、上部側に紙幣を搬送処理する紙幣搬送群を設け、下部側に紙幣を収納する紙幣収納群を設けて、該装置の上下を搬送系と収納系とに分離して内部構造の簡素化を図っている。
【００１８】
また、上部の搬送路１０と下部の収納庫４ａ〜４ｄとの接続構成は、搬送路１０の一部を収納庫４ａの上部より接続し、上段収納部４５と下段収納部４６の順に上下方向に搬送路１０を接続している。上段収納部４５に対しては上段の出入機構４７が対応し、下段収納部４６に対しては下段の出入機構４８が対応して搬送路１０と接続している。
【００１９】
そして、上段の出入機構４７の部位に配置されている振分けゲート４０には、上段収納部４５と下段収納部４６に紙幣を出し入れさせる際の振分け機能を持たせている。すなわち、振分けゲート４０の振分け操作によって、紙幣搬送群から流下してきた紙幣を搬送先の上段収納部４５か下段収納部４６かの何れか一方に振分けて取り込ませる役目と、搬送元の上段収納部４５と下段収納部４６から繰り出した紙幣を上流側の紙幣搬送群に送り出すように振分ける役目とを持たせている。
【００２０】
図２は紙幣管理装置の制御ブロック図を示している。１０１は紙幣管理装置の上位装置として備えられる別のユニットであり、例えば金融機関に設置される自動取引装置の本体制御部である。
【００２１】
１０２は上位装置と通信するための回線制御部、１０３は搬送路を構成している搬送ローラや搬送ベルトを駆動するモータをＯＮ／ＯＦＦ制御する搬送モータ制御部、１０４は紙幣が搬送路により搬送された移動量を計数する搬送量計数部である。
【００２２】
１０５はセンサ制御部であり、紙幣の通過を検知する通過センサ等のセンサを制御する。１０６はゲート制御部であり、紙幣を所定の収納先に搬送するようにゲートを切り替える。１０７は入出金口１からの紙幣の取込処理、入出金口１への紙幣の収納処理などを制御する入出金口制御部、１０８は一時保留部３からの紙幣の繰出処理、一時保留部３への紙幣の収納処理など制御する一時保留部制御部、１０９は各収納庫からの紙幣の繰出処理、各収納庫への紙幣の収納処理などを制御する収納庫制御部、１１０は種々の情報を記憶する記憶部、１１１は紙幣管理装置の各部位を制御する制御手段としての主制御部である。
【００２３】
なお、記憶部１１０は主制御部１１１に含まれるものと考慮してもよく、主制御部(単に制御部とも言う)１１１はＣＰＵ、メモリ等のハードウェアで、そのハードウェアによってプログラムを実行し、後述する各制御、処理、取引が行われる。
【００２４】
この紙幣管理装置では、４ａを２０ユーロ収納庫、４ｂを５０ユーロ収納庫、４ｃを１００ユーロ収納庫、４ｄを５００ユーロ収納庫にそれぞれ設定して構成している。また、各収納庫４ａ〜４ｄにおける紙幣の収納空間は、金種別の紙幣の大きさに合わせた収納空間に調整されている。
【００２５】
次に、紙幣管理装置を用いて紙幣を入出金処理する概要について説明する。  
入金取引の場合では、顧客が入出金口１に紙幣を投入すると、主制御部１１１は入出金口１に投入された紙幣を１枚ずつ内部に取り込んで搬送路１０上に繰り出す。
【００２６】
繰り出された紙幣は識別部２に導き、この識別部２を通過する際に、識別部２が紙幣の金種、真偽等を判定し、紙幣管理装置で取り扱うことができる適正紙幣と判定した紙幣のみを一時保留部３に搬送して一時保留する。一方、識別部２で取り扱うことができない不適な紙幣と判定されると、その不適な紙幣を入出金口１に戻すように搬送する。
【００２７】
入金された取引情報が顧客により確認されると、主制御部１１１は一時保留部３に一時保留した紙幣を１枚ずつ搬送路１０上に繰り出させる。繰り出された紙幣は識別部２を通過する際に、識別部２が紙幣の金種、真偽等を判定し、還流して取り扱うことができる適正な紙幣と判定した紙幣のみを対応する金種の収納庫４ａ〜４ｄの上段収納部４５に搬送し、還流して取り扱うことができない不適な紙幣と判定された紙幣(リジェクト札)を回収庫５に搬送する。
【００２８】
出金取引の場合では、顧客の出金指示を受け付けた主制御部１１１は指定された収納庫４ａ〜４ｄの上段収納部４５から紙幣を１枚ずつ搬送路１０上に繰り出す。繰り出された紙幣は識別部２を通過する際に、識別部２が紙幣の金種、真偽等を判定し、顧客に払い出すことができる適正紙幣と判定された紙幣を入出金口１に搬送し、払い出しできない流通に不適な紙幣と判定された紙幣(リジェクト札)を回収庫５に搬送する。
【００２９】
各取引において、主制御部１１１は識別部２から得られる紙幣の金種、真偽の情報、及びセンサ制御部１０５から得られる紙幣の通過情報に基づいて、各繰出元から繰り出した紙幣の繰出枚数と各収納先に収納した紙幣の収納枚数を計数し、かつ計数したデータを記憶部１１０に記憶する。収納庫４ａ〜４ｄに収納されている紙幣の収納枚数は、収納庫４ａ〜４ｄに紙幣を１枚ずつ収納させる度に加算し、収納庫４ａ〜４ｄから紙幣を繰り出した際は、その繰り出した枚数を減算して現在の収納枚数を算出している。
【００３０】
しかしながら、収納庫４ａ〜４ｄから紙幣を繰り出した際に２枚出し、連れ出しなどが発生してしまうと、主制御部１１１は実際に何枚の紙幣が収納庫４ａ〜４ｄから繰り出されたのかを知ることができないので、収納庫４ａ〜４ｄに収納されている紙幣の収納枚数を正しく把握することができなくなる。この際は、主制御部１１１が回線制御部１０２を介して上位装置１０１に収納庫４ａ〜４ｄに収納している紙幣の収納枚数を正確に把握できなくなったことを通知する。これに基づいて上位装置１０１は回線制御部１０２を介して収納庫４ａ〜４ｄに収納されている紙幣の収納枚数を計数するように指示する。
【００３１】
これらの収納庫４ａ〜４ｄに収納されている紙幣の計数に際して、主制御部１１１は上段収納部４５か下段収納部４６かの何れか一方に収納されている紙幣を、識別部２を経由させて一時保留部３に一時保留させた後、一時保留した紙幣を他方の収納部へ移送させる際に、移送された処理枚数を計数する制御機能を有している。これにより、大きさが種類別に異なる紙幣を収納している各収納庫４ａ〜４ｄの収納枚数を、計数専用の収納庫を要せずに計数することができる。
【００３２】
また、主制御部１１１は、例えば上段収納部４５からの紙幣を受け付けた一時保留部３が満杯になると、該一時保留部３の紙幣を下段収納部４６へ移し替え、再度上段収納部４５から一時保留部３への一時保留を行う繰り返し処理を実行する機能を備えている。
【００３３】
この繰り返し処理を行うことにより、一時保留部３での紙幣収納量が小さくても紙幣を、少量ずつ一時保留部３を経由させて下段収納部４６へと移し替えることができる。このため、上段収納部４５での紙幣収納量が大量であっても、一時保留部３を経由させて全て移し替えることができる。このように、繰り返し処理を行うことで収納庫４ａの収納枚数の計数が可能になる。
【００３４】
また、下段収納部４６に収納されている紙幣を計数する場合も、下段収納部４６から紙幣を、少量ずつ一時保留部３を経由させて上段収納部４５へと移し替える操作を繰り返すことで収納庫４ａの収納枚数を計数できる。
【００３５】
さらに、上位装置１０１からの計数指示に基づいて主制御部１１１は自動的に計数を実行するが、この計数するタイミングは取引待機中などの運用上の最適なタイミングを選んで実行する。
【００３６】
次に、収納庫４ａに収納されている紙幣の収納枚数を計数する場合の計数処理条件とその動作を図３のフローチャートを参照して説明する。  
主制御部１１１は回線制御部１０２を介して上位装置１０１からの指示を受けると、上段収納部空検知センサ４１ａ、及び下段収納部空検知センサ４３ａの検知信号をチェックし、収納庫４ａの上段収納部４５が空でなく、かつ収納庫４ａの下段収納部４６が空であることを確認すると（ステップＳ１）、収納庫４ａの上段収納部４５に収納されている紙幣の収納枚数を計数する（ステップＳ２）。
【００３７】
主制御部１１１は収納庫４ａの上段収納部４５が空、かつ収納庫４ａの下段収納部４６が空でないことを確認すると（ステップＳ３）、主制御部１１１は収納庫４ａの下段収納部４６に収納されている紙幣の収納枚数を計数する（ステップＳ４）。さらに、主制御部１１１は収納庫４ａの上段収納部４５、下段収納部４６ともに空、またはともに空でないときは、計数対象の紙幣がないので枚数計数不可とする（ステップＳ５）。
【００３８】
次に、収納庫４ａの上段収納部４５に収納されている紙幣の収納枚数を計数する場合を図４の紙幣搬送説明図、及び図５の計数フローチャートを参照して説明する。
【００３９】
主制御部１１１は収納庫４ａの上段収納部４５の収納枚数を計数するに際して、一時保留部３に紙幣を一時保留させるための準備を行うよう一時保留部制御部１０８に指示する（ステップＳ１０１）。
【００４０】
さらに、主制御部１１１は振分けゲート４０の振分け方向を上段収納部４５から紙幣を繰り出す方向に切り替え、搬送路１０の回転方向を収納庫４ａ〜４ｄから一時保留部３に紙幣を搬送する回転方向に搬送モータ制御部１０３に指示する（ステップＳ１０２）。さらに、主制御部１１１は収納庫４ａの上段収納部４５から紙幣を１枚ずつ繰り出す旨を収納庫制御部１０９に指示する（ステップＳ１０３）。
【００４１】
主制御部１１１は一時保留部満杯センサ３２、上段収納部空検知センサ４１をチェックし（ステップＳ１０４）、一時保留部３が満杯になるか、収納庫４ａの上段収納部４５が空になるまで紙幣を搬送処理する。一時保留部３が満杯になるか、収納庫４ａの上段収納部４５が空になると、主制御部１１１は収納庫４ａの上段収納部４５からの紙幣繰出動作を停止する旨を収納庫制御部１０９に指示し（ステップＳ１０５）、また搬送路１０の回転を停止する旨を搬送モータ制御部１０３に指示する（ステップＳ１０６）。
【００４２】
その後、主制御部１１１は一時保留部３の紙幣を収納庫４ａの下段収納部４６に収納するための準備を行う旨を収納庫制御部１０９に指示する（ステップＳ１０７）。このとき、主制御部１１１は振分けゲート４０の振分け方向を下段収納部４６に紙幣を収納する方向に切り替える。
【００４３】
さらに、主制御部１１１は搬送路１０を一時保留部３から収納庫４ａ〜４ｄに紙幣を搬送する方向に回転するよう搬送モータ制御部１０３に指示する（ステップＳ１０８）。また、一時保留部３から紙幣の繰り出しを開始するよう一時保留部制御部１０８に指示する（ステップＳ１０９）。
【００４４】
主制御部１１１は、識別部２で識別された結果から、当該紙幣を収納庫４ａの下段収納部４６に収納することができる適正な紙幣であるか否かをチェックし（ステップＳ１１０）、適正な紙幣であれば、主制御部１１１は下段収納部４６に紙幣を搬送するルートにゲート１２を切り替える旨をゲート制御部１０６に指示する（ステップＳ１１１）。そして、紙幣の通過情報から主制御部１１１は下段収納部４６に収納した紙幣の収納枚数を識別部２及び通過センサ１１を通過させた収納過程で１枚ずつ積算して計数する（ステップＳ１１２）。
【００４５】
また、主制御部１１１は下段収納部４６に収納することができない識別不能紙幣や流通に不適な紙幣であれば、回収庫５へと搬送するルートにゲート１２を切り替えるようゲート制御部１０６に指示する（ステップＳ１１３）。
【００４６】
主制御部１１１は一時保留部空検知センサ３１をチェックし（ステップＳ１１４）、一時保留部３が空になるまで紙幣の搬送を行う。一時保留部３が空になると、主制御部１１１は一時保留部３から紙幣を繰出停止する旨を一時保留部制御部１０８に指示する（ステップＳ１１５）。また、搬送路１０の回転を停止するよう搬送モータ制御部１０３に指示する（ステップＳ１１６）。
【００４７】
そして、主制御部１１１は収納庫４ａの上段収納部４５が空か否かをチェックし（ステップＳ１１７）、収納庫４ａの上段収納部４５が空になるまで前記した一時保留部３を介して下段収納部４６へと至る紙幣の移替処理（ステップＳ１０１〜ステップＳ１１７）を繰り返す。この紙幣の移替処理が終了すると、記憶部１１０に記憶されている収納庫４ａの紙幣収納枚数を、今回計数した結果に更新する（ステップＳ１１８）。
【００４８】
以上のようにして、一時保留部３を経由し、収納庫４ａの上段収納部４５に収納されていた全ての紙幣を収納庫４ａの下段収納部４６に移動させて、紙幣の収納枚数を計数することにより収納庫４ａに収納している紙幣の収納枚数を計算して正確に把握し直すことができる。
【００４９】
以後、収納庫４ａの上段収納部４５は空の状態で運用し、入金取引の際には収納庫４ａの下段収納部４６に紙幣を収納し、出金取引の際には、収納庫４ａの下段収納部４６から紙幣を繰り出して運用する。
【００５０】
その後、再び、収納庫４ａから紙幣を繰り出す際に２枚出し、連れ出しなどが発生して、この収納庫４ａに収納されている紙幣の収納枚数を正しく把握することができなくなると、収納庫４ａの下段収納部４６に収納されている紙幣の収納枚数を再計数する。この計数の際も、一時保留部３を経由させて上段収納部４５に、紙幣を移し替えるように移送して収納庫４ａの紙幣の収納枚数を計数する。さらに、紙幣の収納枚数を正しく把握できなくなった場合以外にも、収納庫４ａの交換時に紙幣の収納枚数を計数するようにしてもよい。
【００５１】
次に、収納庫４ａの下段収納部４６に収納されている紙幣の収納枚数を計数する場合を図６の紙幣搬送説明図、及び図７の計数フローチャートを参照して説明する。  
主制御部１１１は収納庫４ａの収納枚数を計数するに際して、一時保留部３に紙幣を一時保留させるための準備を行うよう一時保留部制御部１０８に指示する（ステップＳ２０１）。
【００５２】
さらに、主制御部１１１は振分けゲート４０の振分け方向を下段収納部４６から紙幣を繰り出す方向に切り替え、搬送路１０の回転方向を収納庫４ａ〜４ｄから一時保留部３に紙幣を搬送する回転方向に搬送モータ制御部１０３に指示する（ステップＳ１０２）。さらに、主制御部１１１は収納庫４ａの下段収納部４６から紙幣を繰り出す旨を収納庫制御部１０９に指示する（ステップＳ２０３）。
【００５３】
主制御部１１１は一時保留部満杯センサ３２、下段収納部空検知センサ４３をチェックし（ステップＳ２０４）、一時保留部３が満杯になるか、収納庫４ａの下段収納部４６が空になるまで紙幣を搬送処理する。一時保留部３が満杯になるか、収納庫４ａの下段収納部４６が空になると、主制御部１１１は収納庫４ａの下段収納部４６から紙幣を繰り出すことを停止するよう収納庫制御部１０９に指示し（ステップＳ２０５）、また搬送路１０の回転を停止するよう搬送モータ制御部１０３に指示する（ステップＳ２０６）。
【００５４】
その後、主制御部１１１は一時保留部３の紙幣を収納庫４ａの上段収納部４５に収納するための準備を行うよう収納庫制御部１０９に指示する（ステップＳ２０７）。このとき、主制御部１１１は振分けゲート４０の振分け方向を上段収納部４５に紙幣を収納する方向に切り替える。
【００５５】
主制御部１１１は搬送路１０を一時保留部３から収納庫４ａ〜４ｄに紙幣を搬送する方向に回転するよう搬送モータ制御部１０３に指示する（ステップＳ２０８）。また、一時保留部３から紙幣を繰り出すことを開始するよう一時保留部制御部１０８に指示する（ステップＳ２０９）。
【００５６】
主制御部１１１は識別部２で識別された結果から当該紙幣を収納庫４ａの上段収納部４５に収納することができる紙幣であるか否かをチェックし（ステップＳ２１０）、適正な紙幣であれば、主制御部１１１は上段収納部４５に紙幣を搬送するルートにゲート１２を切り替えるようゲート制御部１０６に指示する（ステップＳ２１１）。そして、紙幣の通過情報から主制御部１１１は上段収納部４５に収納した紙幣の収納枚数を識別部２及び通過センサ１１を通過させた収納過程で１枚ずつ積算して計数する（ステップＳ２１２）。
【００５７】
また、主制御部１１１は上段収納部４５に収納することができない不適な紙幣であれば、回収庫５へと搬送するルートにゲート１２を切り替えるようゲート制御部１０６に指示する（ステップＳ２１３）。
【００５８】
主制御部１１１は一時保留部空検知センサ３１をチェックし（ステップＳ２１４）、一時保留部３が空になるまで紙幣の搬送を行う。一時保留部３が空になると、主制御部１１１は、一時保留部３から紙幣を繰出停止する旨を一時保留部制御部１０８に指示する（ステップＳ２１５）。また、搬送路１０の回転を停止するよう搬送モータ制御部１０３に指示する（ステップＳ２１６）。
【００５９】
そして、主制御部１１１は収納庫４ａの下段収納部４６が空か否かをチェックし（ステップＳ２１７）、収納庫４ａの下段収納部４６が空になるまで前記した一時保留部３を介して上段収納部４５へと至る紙幣の移替処理（ステップＳ２０１〜ステップＳ２１７）を繰り返す。この紙幣の移替処理が終了すると、記憶部１１０に記憶されている収納庫４ａの紙幣収納枚数を今回計数した結果に更新する（ステップＳ２１８）。
【００６０】
以上のようにして、収納庫４ａの上段収納部４５に収納している紙幣の枚数を計数したときと同様にして、一時保留部３を経由し、収納庫４ａの下段収納部４６に収納されていた全ての紙幣を収納庫４ａの上段収納部４５に移動させて、紙幣の収納枚数を計数することにより収納庫４ａに収納している紙幣の収納枚数を計数して正確に把握し直すことができる。
【００６１】
収納庫４ｂ〜４ｄについても同様に行い、収納庫４ｂ〜４ｄに収納している紙幣の枚数を把握することができる。
【００６２】
以後、収納庫４ａ〜４ｄの上段収納部４５、下段収納部４６何れかを空にして運用し、収納庫４ａ〜４ｄ内に収納されている紙幣の収納枚数が把握できなくなった際に、収納庫４ａ〜４ｄに収納されている紙幣の収納枚数を計数することができる。
【００６３】
このように、収納庫４ａ〜４ｄに収納されている紙幣の枚数を常に正確に把握することができるので、出金取引で残金不足が発生しなくなり、さらに計数用に別の収納庫を用意しなくて済み、計数している際に他の金種の紙幣と混ざり合うこともなくなる。
【００６４】
前述の実施例では、収納庫４ａ〜４ｄから紙幣を繰り出す際に２枚出し、連れ出しなどが発生した場合について記述したが、着脱可能な収納庫４ａ〜４ｄを入れ替えた際に、当該収納庫４ａ〜４ｄに収納されている紙幣の枚数を計数することもできる。
【００６５】
また、上述の実施例では、収納庫の上段収納部４５、下段収納部４６の何れか一方を空にして運用する例を示したが、必ずしもその必要はなく、上段収納部４５と下段収納部４６に収納している紙幣の枚数を合わせたとき、どちらか一方の空間に収納することができる枚数であれば、一時保留部３を経由して、どちらか一方の空間に紙幣をいったん移動した後、再び一時保留部３を経由して、他方の空間に全ての紙幣を移動し、紙幣の枚数を計数することにより、収納庫４ａ〜４ｄに収納している紙幣の枚数を把握し直すことができる。
【００６６】
さらに、図８に示すように、搬送されてきた紙幣を羽根車状の巻取り回転体で巻き取って羽根車の周面に一時保留する巻き取り式の一時保留部３で構成することもできる。
【００６７】
このような巻き取り式の一時保留部３を備えた場合は、紙幣の長さ、幅の寸法が異なった多様なサイズの紙幣を全て取り扱うことができるので、各収納庫４ａ〜４ｄに収納されている紙幣の大きさが収納庫別に大きく異なる外国紙幣のような場合でも全ての紙幣の一時保留を可能にして、各収納庫４ａ〜４ｄの収納枚数を計数することができる。
【００６８】
上述のように、上段収納部と下段収納部との紙幣を集積する２つの空間を有し、そのうちのどちらの空間からも一時保留部を経由させて紙幣を出し入れすることができる収納庫を設け、該収納庫の一方の空間から一時保留部を経由して、もう一方の空間に紙幣を搬送する際に、その搬送過程で紙幣を計数する。これにより、収納庫に収納されている紙幣の収納枚数を自動的に計数するものである。
【００６９】
したがって、収納庫の紙幣収納量の計数が必要になった場合は、その都度、紙幣を少しずつ移し替える如く循環させて自動的に計数させることができる。これにより、紙幣のサイズが金種別に大きく異なっても計数専用の収納庫を要しない自動精査が可能になる。また、計数専用の収納庫を要しないため装置自体の小型化及び低コスト化を図ることができる。
【００７０】
ことに、サイズ違いの紙幣であっても自動計数できるため、紙幣の幅や長さが金種別に大きく異なる国でも計数処理できる。また、紙幣を移送させて計数する際に、一時保留部を経由させるだけで自動計数が可能になり、既存の一時保留部を計数処理に有効に活用できることに加えて計数専用の収納庫が不要になる。また、計数に先立ち、計数専用の収納庫を予め空にしておくような必要もなくなる。
【００７１】
さらに、一時保留部は紙幣を一時保留する機能上、収納庫に比べて小さい保留スペースであるが、収納庫から移送される紙幣量が一時保留部の収納限度を超える場合は、小分けして繰り返し一時保留処理すればよく、紙幣の処理枚数にかかわらず少しずつ搬送処理することに基づいて自動計数を可能にしている。
【００７２】
この発明は上述の実施例に記載された構成に限定されるものではなく、請求項に記載された技術思想に基づいて応用することができる。
【産業上の利用可能性】
【００７３】
紙葉類を取り扱うＡＴＭ、両替機、券売機などの自動取引する装置の全般に適用することができる。
【符号の説明】
【００７４】
１…入出金口
２…識別部
３…一時保留部
４ａ〜４ｄ…収納庫
１０…搬送路
１１…通過センサ
４０…振分けゲート
４５…上段収納部
４６…下段収納部
４７，４８…出入機構
１１１…主制御部
【図１】
2011243082.tif 000003
【図２】
2011243082.tif 000004
【図３】
2011243082.tif 000005
【図４】
2011243082.tif 000006
【図５】
2011243082.tif 000007
【図６】
2011243082.tif 000008
【図７】
2011243082.tif 000009
【図８】
2011243082.tif 000010